(57)【要約】【課題】加熱むら等が発生せず、安価な電気調理器を得ること。【解決手段】筐体内の上部及び/又は下部に配置された電気ヒータにより、筐体の中間部に置かれた食品を調理する電気調理器において、前記電気ヒータとして、金属板９に設置され通電されて発熱する該金属板より面積が小さい発熱部８と、該発熱部８に接続され折り曲げられて前記金属板９に配置された良熱伝導体のヒートパイプ７と、を有する電気ヒータ６ａを備え、加熱むらをなくすようにした。【選択図】        図１−３
2008200428.tif 000002
【特許請求の範囲】
【請求項１】
筐体内の上部及び/又は下部に配置された電気ヒータにより、筐体の中間部に置かれた食品を調理する電気調理器において、
前記電気ヒータとして、
金属板と、該金属板に設置され通電されて発熱する該金属板より面積が小さい発熱部と、該発熱部に接続され折り曲げられて前記金属板に配置された良熱伝導体のヒートパイプと、を有する電気ヒータを備えることを特徴とする電気調理器。
【請求項２】
前記ヒートパイプは、前記金属板の全面に略均等に密に配置されていることを特徴とする請求項１に記載の電気調理器。
【請求項３】
前記ヒートパイプは、前記金属板の中央部に配置されていることを特徴とする請求項１に記載の電気調理器。
【請求項４】
前記ヒートパイプは、前記金属板の周縁部に配置されていることを特徴とする請求項１に記載の電気調理器。
【請求項５】
前記発熱部は、前記金属板に二つ設置され、一方の発熱部に前記金属板の中央部に配置されたヒートパイプが接続され、他方の発熱部に前記金属板の周縁部に配置されたヒートパイプが接続されていることを特徴とする請求項１に記載の電気調理器。
【請求項６】
前記電気ヒータとして、折り曲げ棒状電気ヒータをさらに備えることを特徴とする請求項１〜５のいずれか一つに記載の電気調理器。
【請求項７】
筐体内の上部及び/又は下部に配置された電気ヒータにより、筐体の中間部に置かれた食品を調理する電気調理器において、
前記電気ヒータとして、
折り曲げ棒状電気ヒータと、
金属板と、折り曲げられて前記金属板の全面に略均等に密に配置された良熱伝導体のヒートパイプと、を有する加熱板と、
を備えることを特徴とする電気調理器。
【請求項８】
前記ヒートパイプは、ロールボンド製法により、前記金属板を加工して形成されていることを特徴とする請求項１〜７のいずれか一つに記載の電気調理器。
【請求項９】
前記電気ヒータ又は加熱板を、つや無しの黒色とし、表面の熱放射率が高くなるようにしたことを特徴とする請求項１〜８のいずれか一つに記載の電気調理器。
【発明の詳細な説明】
【技術分野】
【０００１】
本発明は、食品のグリル調理を行なう電気調理器に関するものである。
【背景技術】
【０００２】
図３に、従来の電気調理器の内部構造を示す。従来の電気調理器３００では、方形盤状の筐体３０１内の上部及び下部に、食品を加熱する折り曲げ棒状電気ヒータ３０２、３０３が配置され、折り曲げ棒状電気ヒータ３０２、３０３の間の中間部に、食品を載せる焼き網３０４が配置され、焼き網３０４の下側に食品から滲み出る脂を受ける受け皿３０５が配置される構造となっている。
【０００３】
食品の加熱温度の調節は、上部の折り曲げ棒状電気ヒータ３０２及び下部の折り曲げ棒状電気ヒータ３０３の通電時間を調整することにより行なっているが、折り曲げ棒状電気ヒータ３０２、３０３の折り曲げ加工上の制約等から、折り曲げ棒状電気ヒータ３０２、３０３による食品の加熱温度分布が不均一となり、加熱むらが発生していた。また、複数の食品を一緒に加熱するとき、調理時間に差がでることがあった。
【０００４】
従来、加熱温度を均一にするために、クッキングプレートをガラスセラミックで構成し、クッキングプレートの温度を検知し加熱手段の通電を制御しクッキングプレートの表面温度を最適な調理温度に温度制御する制御手段を有する電気調理器において、前記クッキングプレートの裏面に加熱手段として銀、ルテニューム等からなる導電性抵抗体を発熱体パターンに印刷して平面発熱体を構成し、さらにこの平面発熱体から放熱される熱を均一にクッキングプレートに熱伝導する均熱手段として窒化アルミ等のセラミックス粉末に無機ポリマーの接着剤を混合して均熱層を構成し、この均熱層を平面発熱体の裏面を含むクッキングプレートの裏面に設けたものがある（例えば、特許文献１参照）。
【０００５】
また、従来の電気調理器用の平面発熱体として、金属発熱体素子と、マイカ粉末等からなる無機絶縁体と、窒化アルミ等の熱伝導が良く電気絶縁性に優れた粉末状のセラミックスに無機接着剤を添加した結合材とを有し、前記結合材を金属発熱体素子の全面に塗布して熱拡散層を形成し、二枚の無機絶縁材の間に前記熱拡散層を重層し、加熱加圧し一体形成したものがある（例えば、特許文献２参照）。
【０００６】
【特許文献１】特開平０６−３０４０７４号公報
【特許文献２】特開平０６−２８３２５７号公報
【発明の開示】
【発明が解決しようとする課題】
【０００７】
しかしながら、上記従来の技術によれば、セラミックス材料等で電気ヒータを形成している。そのため、電気調理器が高価なものになる、という問題があった。
【０００８】
本発明は、上記に鑑みてなされたものであって、加熱むら等が発生せず、安価な電気調理器を得ることを目的とする。
【課題を解決するための手段】
【０００９】
上述した課題を解決し、目的を達成するために、本発明は、筐体内の上部及び/又は下部に配置された電気ヒータにより、筐体の中間部に置かれた食品を調理する電気調理器において、前記電気ヒータとして、金属板と、該金属板に設置され通電されて発熱する該金属板より面積が小さい発熱部と、該発熱部に接続され折り曲げられて前記金属板に配置された良熱伝導体のヒートパイプと、を有する電気ヒータを備えることを特徴とする。
【発明の効果】
【００１０】
この発明によれば、加熱むら等が発生せず、安価な電気調理器が得られる、という効果を奏する。
【発明を実施するための最良の形態】
【００１１】
以下に、本発明にかかる電気調理器の実施の形態を図面に基づいて詳細に説明する。なお、この実施の形態によりこの発明が限定されるものではない。
【００１２】
実施の形態１．
図１−１は、本発明にかかる電気調理器の実施の形態１の内部を透視する斜視図であり、図１−２は、縦断面図であり、図１−３は、第１の加熱板の斜視図である。
【００１３】
図１−１〜図１−３に示すように、実施の形態１の電気調理機器１００は、方形盤状の筐体１内の上部及び下部に、魚等の食品を加熱する方形の電気ヒータとしての加熱板６ａ、６ａが配置され、加熱板６ａ、６ａの中間部に、食品を載せる方形の焼き網４が配置され、焼き網４の下側に食品から滲み出る脂を受ける方形の受け皿５が配置される構造となっている。
【００１４】
実施の形態１の電気調理器１００は、折り曲げ棒状電気ヒータを用いずに、筐体１内の上下に配置した均一加熱可能な第１の加熱板６ａ，６ａの加熱により、焼き網４上に載せた食品の調理を行なう。
【００１５】
図１−３に示すように、第１の加熱板６ａは、方形の金属板９と、金属板９の隅部に設置され通電されて発熱する金属板９より面積が小さい発熱部８と、発熱部８に接続され九十九折状に折り曲げられて金属板９の全面に略均等に密に配置され、発熱部８の発熱により蒸発し、金属板９により凝縮される冷媒が真空封入された良熱伝導体であるヒートパイプ７と、を備えて成る。
【００１６】
第１の加熱板６ａの他の形態として、ロールボンド製法により、金属板９を加工して、金属板の全面に、九十九折状にヒートパイプの伝熱回路を形成して金属板とヒートパイプとを一体形成し、冷媒を封入してもよい。また、放射熱による食品の加熱効果を高めるため、加熱板６ａを、つや無しの黒色とする等して、表面の熱放射率が高くなるように加工する。
【００１７】
冷媒を封入した良熱伝導体である九十九折状に密に配置されたヒートパイプ７により、電気ヒータとしての第１の加熱板６ａは均熱発熱し、電気調理器１００内を均一な温度にし、加熱むら等を発生させないようにすることができる。また、電気調理器が安価なものとなる。
【００１８】
実施の形態２．
図２−１は、本発明にかかる電気調理器の実施の形態２の内部を透視する斜視図であり、図２−２は、縦断面図であり、図２−３は、第２の加熱板の斜視図であり、図２−４は、第１の加熱板の斜視図であり、図２−５は、第３の加熱板の斜視図であり、図２−６は、第４の加熱板の斜視図であり、図２−７は、第５の加熱板の斜視図である。
【００１９】
図２−１〜図２−３に示すように、実施の形態２の電気調理器２００は、方形盤状の筐体１内の上部及び下部に、方形の第２の加熱板６ｂ、６ｂが配置され、上下の第２の加熱板６ｂ、６ｂの内側に、図３に示すものと同様の上下の折り曲げ棒状電気ヒータ２、３を配置し、中間部に、食品を載せる方形の焼き網４が配置され、焼き網４の下側に食品から滲み出る脂を受ける方形の受け皿５が配置される構造となっている。
【００２０】
図２−３に示すように、第２の加熱板６ｂは、第１の加熱板６ａのような発熱部８を有しておらず、九十九折状に折り曲げられて金属板９の全面に略均等に密に設置され、冷媒が封入された良熱伝導体であるヒートパイプ７を備えて成る。
【００２１】
また、ロールボンド製法により、金属板の全面に、九十九折状にヒートパイプの伝熱回路を形成し、金属板とヒートパイプとを一体形成し、冷媒を封入してもよい。また、放射熱による食品の加熱効果を高めるため、第２の加熱板６ｂを、つや無しの黒色とする等して、表面の熱放射率が高くなるように加工する。
【００２２】
以上説明した構成により、折り曲げ棒状電気ヒータ２、３による不均一な発熱を第２の加熱板６ｂ、６ｂにより均一化し、電気調理器２００内を均一な温度にし、温度むらの少ない加熱調理を行なうことができる。また、電気調理器２００は、安価なものとなる。
【００２３】
また、実施の形態２の電気調理器２００に、図２−４に示すように、図１−３に示すものと同様な第１の加熱板６ａを用いてもよい。第１の加熱板６ａ、６ａに通電しないときは、折り曲げ棒状電気ヒータ２、３の不均一な温度分布を均一化し、調理する食品の種類により、第１の加熱板６ａ、６ａに通電して補助加熱を行なうようにする。
【００２４】
また、図２−５に示すような、電気ヒータとしての第３の加熱板６ｃを用いてもよい。第３の加熱板６ｃは、方形の金属板９と、金属板９の隅部に設置され通電されて発熱する発熱部８と、発熱部８に接続され折り曲げられて金属板９の中央部に設置され冷媒が封入された良熱伝導体であるヒートパイプ７ｃと、を備えて成る。
【００２５】
第３の加熱板６ｃ、６ｃに通電すると、焼き網４の中央部を集中して加熱する。焼き網４の中央部に焼け難い食品を置き、周辺部に焼け易い食品を置くようにするとよい。
【００２６】
また、図２−６に示すような、電気ヒータとしての第４の加熱板６ｄを用いてもよい。第４の加熱板６ｄは、方形の金属板９と、金属板９の隅部に設置され通電されて発熱する発熱部８と、発熱部８に接続され折り曲げられて金属板９の周縁部に設置され冷媒が封入された良熱伝導体であるヒートパイプ７ｄと、を備えて成る。
【００２７】
第４の加熱板６ｄ、６ｄに通電すると、焼き網４の周辺部を加熱し、折り曲げ棒状電気ヒータ２、３による加熱では低温となる器内周縁部の補助加熱を行なう。食品が焼き網４の全面に置かれているときなどに、発熱部８に通電して発熱させ、上下の折り曲げ棒状電気ヒータ２、３と第４の加熱板６ｄ、６ｄにより器内の均一加熱を行なうことができる。
【００２８】
また、図２−７に示すような、電気ヒータとしての第５の加熱板６ｅを用いてもよい。第５の加熱板６ｅは、方形の金属板９と、金属板９の隅部に設置され通電されて発熱する発熱部８ｄと、発熱部８ｄに接続され折り曲げられて金属板９の周縁部に設置され冷媒が封入された良熱伝導体であるヒートパイプ７ｄと、金属板９に設置され通電されて発熱する発熱部８ｃと、発熱部８ｃに接続され折り曲げられて金属板９の中央部に設置され冷媒が封入された良熱伝導体であるヒートパイプ７ｃと、を備えて成る。
【００２９】
第５の加熱板６ｅに通電すると、ヒートパイプ７ｄにより焼き網４の周辺部を加熱し、ヒートパイプ７ｃにより焼き網４の中央部を加熱する。調理方法により、折り曲げ棒状電気ヒータ２、３のみ、或いはヒートパイプ７ｃのみ、或いはヒートパイプ７ｄのみによる加熱、又は折り曲げ棒状電気ヒータ２、３とヒートパイプ７ｃ、７ｄとを組合せて調理することができる。
【００３０】
以上説明した実施の形態１又は２の電気調理器１００、２００によれば、食品を均一に過熱して調理を行なうことができる。また、実施の形態２の電気調理器２００によれば、器内の中央に置いた食品を集中加熱して調理を行なうことができる。また、従来、温度むらが発生していた電気調理器の温度を均一化、又は一部分の集中加熱を行なうことにより、無駄なく食品を加熱することができ、省電力化することができる。
【００３１】
なお、折り曲げ棒状電気ヒータ２、３及び第１、第２、第３、第４、第５の加熱板６ａ、６ｂ、６ｃ、６ｄ、６ｅは、電気調理器１００、２００内の上部又は下部のいずれか一方のみに配置するようにしてもよい。
【産業上の利用可能性】
【００３２】
以上のように、本発明にかかる電機調理器は、調理の均一化に有用であり、また、省電力化にも適している。
【図面の簡単な説明】
【００３３】
【図１−１】本発明にかかる電気調理器の実施の形態１の内部を透視する斜視図である。
【図１−２】本発明にかかる電気調理器の実施の形態１を示す縦断面図である。
【図１−３】第１の加熱板の斜視図である。
【図２−１】本発明にかかる電気調理器の実施の形態２の内部を透視する斜視図である。
【図２−２】本発明にかかる電気調理器の実施の形態２を示す縦断面図である。
【図２−３】第２の加熱板の斜視図である。
【図２−４】第１の加熱板の斜視図である。
【図２−５】第３の加熱板の斜視図である。
【図２−６】第４の加熱板の斜視図である。
【図２−７】第５の加熱板の斜視図である。
【図３】従来の電気調理器の内部を透視する斜視図である。
【符号の説明】
【００３４】
１  筐体
２，３  折り曲げ棒状電気ヒータ
４  焼き網
５  受け皿
６ａ，６ｂ，６ｃ，６ｄ，６ｅ  加熱板
７，７ｃ，７ｄ  ヒートパイプ
８，８ｃ，８ｄ  発熱部
９  金属板
１００，２００  電気調理器
【図１−１】
2008200428.tif 000003
【図１−２】
2008200428.tif 000004
【図１−３】
2008200428.tif 000005
【図２−１】
2008200428.tif 000006
【図２−２】
2008200428.tif 000007
【図２−３】
2008200428.tif 000008
【図２−４】
2008200428.tif 000009
【図２−５】
2008200428.tif 000010
【図２−６】
2008200428.tif 000011
【図２−７】
2008200428.tif 000012
【図３】
2008200428.tif 000013